(57)【要約】【課題】光ディスクを、確実に、かつ容易に保持して取り出すことができ、汚れや傷により記録データが損傷を受けることのないないディスクカートリッジを提供する。【解決手段】この発明のディスクカートリッジ１０は、光ディスクをカートリッジから容易に取り出し可能、且つ容易に挿入可能に保持するために、光ディスクの一方の表面と対向した主壁１１と、主壁の周縁に設けられた側壁１２と、光ディスクを主壁１１との間に挟み込むように側壁１２からに延出されたディスクホールディング爪１３およびハンドリング用領域１４とを有する。【選択図】          図１
2004152444.tif 000002
【特許請求の範囲】
【請求項１】
記録面を有する光ディスクを、回転自在に収容でき、且つ、取り出し挿入でき、上記記録媒体が挿入された状態で、記録／再生装置に対して所定の方向から挿入可能なディスクカートリッジであって、
上記光ディスクの記録面と対向可能に形成された主壁と、
前記主壁の周縁部から延出され、上記光ディスクの周囲の少なくとも一部を覆う側壁と、
上記光ディスクを挟み込むように前記側壁から前記主壁に平行に延出されたディスク落下防止部材と、
記録／再生装置に挿入される上記所定の方向と反対の側の前記側壁から前記主壁に平行に延出されたハンドリング用突出領域と、
を具備したことを特徴とするディスクカートリッジ。
【請求項２】
前記ディスク落下防止部材と前記ハンドリング用突出領域の上記光ディスク側に面する側に、上記光ディスクに不所望な傷が発生することを抑止可能な部材が配置され、またはコーティングが施されていることを特徴とする請求項１記載のディスクカートリッジ。
【請求項３】
前記ディスク落下防止部材は、複数設けられることを特徴とする請求項１または２記載のディスクカートリッジ。
【請求項４】
前記主壁が、光ピックアップヘッドおよびスピンドルモータ用の窓部を有することを特徴とする請求項１ないし３のいずれかに記載のディスクカートリッジ。
【請求項５】
前記主壁の前記ディスク落下防止部材および前記ハンドリング用突出領域と対向される領域には、成型装置の動作方向を定義するクリアランス部が設けられていることを特徴とする請求項１ないし４のいずれかに記載のディスクカートリッジ。
【請求項６】
前記主壁、前記ディスク落下防止部材および前記ハンドリング用突出領域は、同時に成型されることを特徴とする請求項１ないし５のいずれかに記載のディスクカートリッジ。
【請求項７】
前記主壁、前記ディスク落下防止部材、前記ハンドリング用突出領域および前記クリアランス部は、同時に成型されることを特徴とする請求項１ないし５のいずれかに記載のディスクカートリッジ。
【請求項８】
前記ディスク落下防止部材は、上記光ディスクが挿入され、または離脱される際に、一時的に変形可能であることを特徴とする請求項１ないし７のいずれかに記載のディスクカートリッジ。
【請求項９】
記録媒体の記録面の所定領域を除いた部分をカバーするカバー部材と、
このカバー部材の周囲から所定の高さに延出された側壁部と、
この側壁部から、前記カバー部に対して所定の角度となるよう延出され、上記記録媒体の少なくとも上記記録面に対して所定の間隔を提供可能なハンドリング領域と、
前記側壁部から前記カバー部材に対して所定の角度になるよう延出され、前記カバー部材と前記側壁部とにより定義される空間から上記記録媒体が離脱することを抑止可能なガイド部材と、
を有することを特徴とするディスクカートリッジ。
【請求項１０】
前記ガイド部材は、上記記録媒体が上記空間に挿入され、または上記空間から離脱される際に、一時的に変形可能であることを特徴とする請求項９記載のディスクカートリッジ。
【請求項１１】
前記ガイド部材は、前記カバー部材、前記側壁部および前記ハンドリング部と同時に成型されることを特徴とする請求項９記載のディスクカートリッジ。
【請求項１２】
前記カバー部材の前記ガイド部材および前記ハンドリング部と対向される領域には、成型装置の動作方向を定義するクリアランス部が設けられていることを特徴とする請求項９ないし１１のいずれかに記載のディスクカートリッジ。
【請求項１３】
前記ハンドリング部は、上記空間に上記記録媒体が挿入された状態で記録装置または再生装置に着脱される方向に対して前記カバー部材の面方向と反対の側に設けられていることを特徴とする請求項９ないし１２のいずれかにディスクカートリッジ。
【発明の詳細な説明】
【０００１】
【発明の属する技術分野】
この発明は、複雑な組立工程が不要で、収容されているディスク媒体を容易に取り出しでき、また容易に収納可能なディスクカートリッジに関する。
【０００２】
【従来の技術】
例えば、音楽ＣＤ等に代表される一般的な再生専用の光ディスクは、保存状態では、外装ケースに収納されている場合もあるが、再生装置への挿入、取り出し時等に際しては、光ディスク単体で取り扱われる。
【０００３】
このため、再生装置のローディング機構も光ディスク単体でのローディングを想定して構成されている。
【０００４】
なお、情報の書き込みが可能なＣＤ−Ｒ／ＲＷ等の光ディスクについても、再生専用のディスク装置でデータを再生する場合には、カートリッジから取り出されて、ＣＤと同様に光ディスク単体で取り扱われている。
【０００５】
再生専用の光ディスクは、ケースに収納されている場合、光ディスクに固有の中心孔により、所定の位置に所定の位置関係が維持された状態で保持される。すなわち、光ディスクの記録面は、ケース内面のどの位置にも接触することのないように、ケース内面に対して所定の位置関係で支持されている。
【０００６】
このため、利用者が光ディスクをケースから取り出そうとする場合は、ケース内部で所定の位置関係が維持されている光ディスクのエッジ部分が（利用者により）支持される。
【０００７】
ところで、データの記録または書き換えが可能な光ディスクは、一般に、再生専用の光ディスクよりも、傷や、汚れに対するデータ記録再生の信頼性が低い。
【０００８】
そのため、記録または書き換えが可能な光ディスクは、記録／再生装置内に、光ディスクと同時にローディングされるカートリッジ内に収容されることで保護された状態で取り扱われる。
【０００９】
光ディスクを内部に収容したまま、記録／再生装置内にセットされるディスクカートリッジとして、扁平なベース部（下ケース４）とベース部に介して開閉自在に取り付けられた扁平なカバー部（上ケース３）とを備え、ベース部とカバー部との間に光ディスク２が収納されるカートリッジ１が既に提案されている。
【００１０】
カートリッジのカバー部を開くことにより、中の光ディスク２を取り出すことができる（例えば、特許文献１参照）。
【００１１】
【特許文献１】
特開平９−２１３０４２号公報（要約書、図１、段落［００１４］
【００１２】
【発明が解決しようとする課題】
ところで、ハンディビデオカメラ等における記録装置として光ディスク装置が用いられている場合、光ディスクを屋外で取り扱う機会が多くなる。このため、記録面に（利用者が）直接触れることなく光ディスクを取り扱うためには、ディスクカートリッジが必須となる。
【００１３】
カートリッジ対応型の光ディスク装置を用いて光ディスクを再生する場合、光ティスクは、カートリッジに収納された状態でディスク装置に装填される。
【００１４】
従って、カートリッジは、ディスク装置のローディング機構によって所定位置にローディングされ、記録再生のための光ピックアップヘッドは、カートリッジに形成されたアクセス窓を介して光ディスクの記録面にアクセスされる。
【００１５】
なお、ビデオカメラ等に利用される光ディスクにおいては、再生時に、カートリッジ非対応の光ディスク装置により再生する場合も考えられる。従って、この場合には、光ディスクがカートリッジから取り出し可能で、光ディスク単体で、取り扱えることが求められる。
【００１６】
カートリッジに収容されている光ディスクを取り出す方法としては、上述したようなディスクカートリッジにおいては、カバー部を開いた状態でカートリッジ全体をひつくり返して、もう一方の手で光ディスクを受け取るか、あるいは記録面を避けて、光ディスクの中心孔に指を入れるか、光ディスクのエッジ部を支持して取り出すことが一般的である。
【００１７】
しかしながら、上述したようなディスクカートリッジでは、光ディスクを取り出すための一連の動作として、カバー部を開ける必要がある。また、カバー部が開いた状態を維持しつつ、光ディスクをカートリッジから取り出すことになる。
【００１８】
このような、カバー部を開けた状態を維持しながら光ディスクを取り出す動作は、ハンディビデオカメラで発生する屋外使用時等において、特に、光ディスクを落下する等を引き起こす問題がある。
【００１９】
また、カバー部を開けた状態で光ディスクを取り出す動作は、利用者とって、かなり緊張を要するわずらわしい作業であり、ディスク面に指紋や傷等が生じる要因である。
【００２０】
この発明の目的は、内部に収容されているディスク媒体を、確実に、かつ容易に取り出すことができ、記録データの損失等を抑止可能なディスクカートリッジを提供することにある。
【００２１】
【課題を解決するための手段】
この発明は、記録面を有する光ディスクを、回転自在に収容でき、且つ、取り出し挿入でき、上記記録媒体が挿入された状態で、記録／再生装置に対して所定の方向から挿入可能なディスクカートリッジであって、上記光ディスクの記録面と対向可能に形成された主壁と、前記主壁の周縁部から延出され、上記光ディスクの周囲の少なくとも一部を覆う側壁と、上記光ディスクを挟み込むように前記側壁から前記主壁に平行に延出されたディスク落下防止部材と、記録／再生装置に挿入される上記所定の方向と反対の側の前記側壁から前記主壁に平行に延出されたハンドリング用突出領域と、を具備したことを特徴とするディスクカートリッジを提供するものである。
【００２２】
またこの発明は、記録媒体の記録面の所定領域を除いた部分をカバーするカバー部材と、このカバー部材の周囲から所定の高さに延出された側壁部と、この側壁部から、前記カバー部に対して所定の角度となるよう延出され、上記記録媒体の少なくとも上記記録面に対して所定の間隔を提供可能なハンドリング領域と、前記側壁部から前記カバー部材に対して所定の角度になるよう延出され、前記カバー部材と前記側壁部とにより定義される空間から上記記録媒体が離脱することを抑止可能なガイド部材と、を有することを特徴とするディスクカートリッジを提供するものである。
【００２３】
【発明の実施の形態】
以下、図面を参照して、この発明の実施の形態について詳細に説明する。
【００２４】
図１および図２に示すように、情報の記録および再生が可能な記録媒体である光ディスクＤ（図１は光ディスクＤがセットされていない状態を示している）を収容可能なディスクカートリッジ１０は、ベース部として機能する主壁１１と、主壁１１の周縁部に設けられた側壁１２と、主壁１１と側壁１２により定義される空間に挿入される光ディスクＤ（図２参照）を、主壁１１側との間で保持可能に形成されたディスクホールディング爪１３、およびハンドリング用突出部１４とからなる。なお、ディスクカートリッジ１０は、扁平で、概ね円形である。
【００２５】
換言すると、ディスクカートリッジ１０は、記録媒体（光ディスクＤ）の記録面の所定領域を除いた部分をカバーするカバー部材（主壁）１１と、カバー部材１１の周囲から所定の高さに延出された側壁部１２と、側壁部１２から、カバー部材１１に対して所定の角度となるよう延出され、光ディスクＤの記録面に対して所定の間隔を提供可能なハンドリング用領域１４と、側壁部１２からカバー部材１１に対して所定の角度になるよう延出され、カバー部材１１と側壁部１２とにより定義される空間から光ディスクＤが離脱（落下）することを抑止可能なガイド部材（ディスクホールディング爪）１３と、を含む。
【００２６】
さらに換言すると、ディスクカートリッジ１０は、記録面を有する記録媒体としての光ディスクＤを回転自在に収容でき、且つ、容易に取り出し挿入でき、光ディスクＤが挿入された状態で、記録／再生装置に対して所定の方向から挿入可能なディスクカートリッジであって、光ディスクＤの記録面と対向可能に形成された主壁１１と、主壁１１の周縁部から延出され、光ディスクＤの周囲の少なくとも一部を覆う側壁１２と、光ディスクＤを挟み込むように側壁１２から主壁１１に平行に延出されたディスク落下防止部材（ディスクホールディング爪）１３と、記録／再生装置に挿入される際の所定の方向と反対の側の側壁から主壁に平行に延出されたハンドリング用領域１４とを含むことを特徴とする。
【００２７】
より詳細には、主壁１１は、光ディスクＤの径よりも僅かに大きな内径に形成され、側壁１２は、光ディスクＤの厚さよりも大きな高さに形成されている。
【００２８】
従って、光ディスクＤは、主壁１１上で側壁１２の内側に定義される上記空間内に、僅かな隙間を持って装着される。
【００２９】
主壁１１の所定の位置には、光ディスクＤがセットされているカートリッジ１０が図示しない記録／再生装置にカートリッジ１０が装填される際に、図示しない光ピックアップ（すなわち光ヘッド）による光ディスクＤへのアクセスすなわち情報の記録および再生を可能とするともに、光ディスクＤを保持して所定の速度で回転させるディスクモータ（およびディスクホルダ）と光ディスクＤとが接することを回避することのできる開口部１５が設けられている。なお、開口部１５が形成される方向は、矢印で示す「カートリッジ挿入方向」の側であることはいうまでもない。
【００３０】
ディスクホールディング爪１３、ハンドリング用突出部１４および開口部１５は、例えばインジェクション成型により、１ピースとして、カートリッジ１０と一体に、かつ同一行程で形成可能である。
【００３１】
ディスクホールディング爪１３は、カートリッジ１０が任意の方向に傾けられた場合であっても、主壁１１と側壁１２とにより定義される空間に位置される光ディスクＤが、カートリッジ１０（空間）から脱落することを抑止可能である。なお、ディスクホールディング爪１３は、カートリッジ１０から光ディスクＤが取り出され、または光ディスクＤがカートリッジ１０にセットされる際には、光ディスクＤの任意の面に対して不所望な圧力を与えることのないよう、主壁１１から離れる側に変位可能である。
【００３２】
ハンドリング用突出部１４は、カートリッジ１０が図示しない記録／再生装置に装填または記録／再生装置からカートリッジ１０を取り出す際に、利用者の指が内部の光ディスクＤに触れることを抑止可能で、しかも利用者がカートリッジ１０を確実に保持可能に形成されている。
【００３３】
カートリッジ１０の主壁１１と側壁１２とにより定義される空間は、例えば直径が約８０ｍｍで、厚さが約１．２ｍｍのビデオカメラ等に利用可能な詳細図の光ディスクＤを収容可能な大きさが与えられている。
【００３４】
図１および図２を用いて説明したディスクカートリッジ１０によれば、例えば光ディスクＤの中心穴と周縁部とを利用者の指で保持し、図３に示す「ディスク取り出し方向」に光ディスクＤをスライドさせることで、カートリッジ１０から光ディスクＤを取り出すことができる。
【００３５】
逆に、ディスクカートリッジ１０に光ディスクＤをセットする時は、図３に示す矢印（ディスク取り出し方向）の逆方向に、光ディスクＤをスライドさせることで、光ディスクＤを、主壁１１と側壁１２とにより定義される空間に、容易に装着できる。
【００３６】
なお、多くの場合、光ディスクＤの記録面には通常、ハードコーティングが施されているので、一般的な使用条件では、記録面とディスクホールディング爪１３またはハンドリング部１４もしくはその両方と接触したとしても、光ディスクＤに記録されている情報に悪影響が及ぶことはほとんどない。
【００３７】
また、図４に示すように、主壁１１、ディスクホールディング爪１３あるいはハンドリング部１４または各部分の内側で、光ディスクＤの記録面とが接する可能性のある領域１６は、例えば不織布または合成皮革等を貼り付けることで、もしくは光ディスクＤの記録面に傷が生じることを防止可能な材料がコーティングまたは塗布されることにより、光ディスクＤに不所望な傷が発生することが、確実に抑止できる。なお、カートリッジ１０を成型する際に、光ディスクＤの記録面が接する可能性のある領域に、予め植毛加工を施してもよいことはいうまでもない。
【００３８】
なお、図５に示すように、ディスクホールディング爪１３およびハンドリング部１４が設けられる位置に対向される主壁１１に、成型時の金型、特に入れ子の動作方向を定義する抜き（クリアランス部）１７を設けることで、成型用に用いられる金型の自由度が増大でき、図示しない成型装置のコストを低減できる。
【００３９】
以上説明した通り、本発明のディスクカートリッジにおいては、記録媒体である光ディスクの出し入れが容易で、しかも光ディスクの記録面に利用者の指紋が付着し、あるいは不所望な傷が生じることが大幅に抑止できる。
【００４０】
なお、この発明は、上述した実施の形態に限定されることなく、この発明の範囲内で種々変形可能である。例えば、ディスクホールディング爪の配置位置および配置数もしくは形状等は、任意に設定できることは言うまでもない。
【００４１】
【発明の効果】
以上詳述したように、本発明によれば、記録媒体である光ディスクを、確実に、かつ容易に保持して取り出すことができ、記録データに損傷が生じ、もしくは記録されている情報の信頼性が低下されることが防止できる。
【００４２】
また、本ディスクカートリッジは、インジェクション成型により、１ピースで形成可能であるから、大幅にコストが低減される。
【図面の簡単な説明】
【図１】この発明の実施の形態であるディスクカートリッジを説明する概略図。
【図２】図１に示したディスクカートリッジに記録媒体である光ディスクが装着された状態を説明する概略図。
【図３】図１および図２に示したディスクカートリッジから光ディスクを取り出し、またはカートリッジに光ディスクをセットする状態を説明する概略図。
【図４】図１および図２に示したディスクカートリッジの変形例を説明する概略図。
【図５】図１および図２に示したディスクカートリッジのさらに別の変形例を説明する概略図。
【符号の説明】
１０…光ディスクカートリッジ、
１１…主壁、
１２…側壁、
１３…ディスクホールディング爪、
１４…ハンドリング部、
１５…アクセス窓、
１６…ディスク保護領域、
１７…抜き孔、
Ｄ…光ディスク。
【図１】
2004152444.tif 000003
【図２】
2004152444.tif 000004
【図３】
2004152444.tif 000005
【図４】
2004152444.tif 000006
【図５】
2004152444.tif 000007